(57)【要約】      （修正有）【課題】修飾ポリアスパラギン酸系ポリマーの新たな用途の使用を提供する。【解決手段】親水性部分として特定の親水性置換基を有する構造単位を含み、疎水性部分として特定の疎水性置換基を有する構造単位を含むα型又はβ型ポリアスパラギン酸単量体単位の少なくとも１種類の単量体単位を含む修飾ポリアスパラギン酸系ポリマーを含む剤であって、その界面活性剤、増粘剤、減粘剤、膨潤剤、吸水剤、ゲル化剤、結合剤、成膜剤、凝集剤、接着剤、表面改質剤、及び徐放剤としての使用。【選択図】なし【特許請求の範囲】
【請求項１】
下記一般式（Ｉ）又は（II）
【化１】
2019089897.tif 000014
【化２】
2019089897.tif 000015
（式中、Ｒ１は炭素原子数３〜１８の炭化水素基を示し、Ｒ２はヘテロ原子を含んでも構わない炭素原子数１〜２０の炭化水素基を示す）
で表されるα型又はβ型ポリアスパラギン酸単量体単位の少なくとも１種類の単量体単位を含むポリマーの、界面活性剤、増粘剤、減粘剤、膨潤剤、吸水剤、ゲル化剤、結合剤、成膜剤、凝集剤、接着剤、表面改質剤、又は徐放剤としての使用。
【請求項２】
下記一般式（Ｉ）又は（II）
【化３】
2019089897.tif 000016
【化４】
2019089897.tif 000017
（式中、Ｒ１は炭素原子数３〜１８の炭化水素基を示し、Ｒ２はヘテロ原子を含んでも構わない炭素原子数１〜２０の炭化水素基を示す）
で表されるα型又はβ型ポリアスパラギン酸単量体単位の少なくとも１種類の単量体単位を含むポリマーの、
界面活性剤、増粘剤、安定剤、保湿剤、除湿剤、調湿剤、吸湿剤、保水材、発泡剤、増泡剤、起泡増泡剤、泡安定化剤、消泡剤、可溶化剤、分散剤、乳化剤、帯電防止剤、キレート剤、凝着剤、エマルジョンブレーカー、滑剤、薬剤用担体、徐放剤、相溶化剤、高分子凝集剤及び可塑剤から選択される剤、化粧品、香粧品、医薬品、医薬部外品、医薬関連材料、医療関連用品、保健関連用品、衛生材料、生活用品、農業資材、食品関連材料、土木関連材料、建築関連材料、電気機器関連材料、電子機器関連材料、筆記関連材料、塗装関連材料、印刷関連材料、電子印刷関連材料、製造プロセス関連材料、分析関連材料、坑井関連材料、染色関連材料、布処理関連材料、製紙関連材料、環境対策処理用材料、バインダー、又はこれら以外の処理剤若しくは機能材料若しくは機能部材における使用。
【請求項３】
界面活性剤、安定剤、保湿剤、除湿剤、調湿剤、吸湿剤、保水材、発泡剤、泡安定化剤、消泡剤、可溶化剤、分散剤、乳化剤、帯電防止剤、キレート剤、凝着剤、エマルジョンブレーカー、滑剤、薬剤用担体、徐放剤、相溶化剤、高分子凝集剤、可塑剤、乳液、エマルジョン、クリーム、ローション、クレンジングクリーム、シェービングクリーム、パック、おしろい、口紅、マニキュア、ペディキュア、固形化粧料、固形粉末化粧料、粉体化粧料、油性化粧料、水中油型固型化粧料、油中水型乳化化粧料、水性二層型化粧料、凹凸補正化粧料、油中水型コンシーラー、化粧料用フィラー、フォームエアゾール化粧料、ヘアコンディショナー、セット用ジェル剤、ヘアトニック、デオドラント、消臭剤、消香剤、香水、オーデコロン、オードトワレ、フレグランス、揮散剤、薬剤保持体、錠剤コーティング剤、内側空間に薬剤を格納するためのシームレスのカプセル基剤、創傷保護用ドレッシング材、医療用アンダーパット、パップ剤、医療用血液吸収体、培養細胞シート、手術用縫合糸、人工皮膚、スキャホールド、目薬、コンタクトレンズ洗浄剤、歯石沈着防止剤、生理用品、おむつ、母乳パット、失禁用パッド、使い捨て雑巾、ペット用シート、携帯用トイレ、芳香剤、消臭剤、吸汗性繊維、ぬれティッシュー、使い捨てカイロ、消臭除湿シート、脱臭剤、脱酸素剤、ビルダー、洗濯用消臭抗菌仕上げ剤、入浴剤、保水材、土壌改良剤、灌注液、切り花の延命剤、フローラルフォーム、育苗用苗床、水耕栽培植生シート、種子テープ、流体播種用媒体、結露防止用農業用シート、食品鮮度保持剤、脱水剤、食品包装材、保冷材、運搬用資材、麺質改良剤、食品添加物、結露防止用建築材料、土木用のシーリング材、建築用のシーリング材、シールド工法の逸泥防止剤、コンクリート混和剤、コンクリート用防水剤、ガスケット・パッキング、フロアポリッシュ用高分子、マスキング剤、塗料用高分子、電子機器のシール材、電子機器のコーティング材、光ファイバーのシール材、光ファイバーのコーティング材、通信ケーブル用止水材、プリント配線板用防湿コーティング剤、塗料、インキ、トナー、インクジェットインク、水性インキ、ボールペン用インキ、金属光沢色インキ、消去可能なインキ、筆記具用レフィル、インクジェット用記録紙、イオン交換膜である高分子機能性膜、逆浸透膜である高分子機能性膜、正浸透膜である高分子機能性膜、ガス分離膜である高分子機能性膜、プロトン伝導膜である高分子機能性膜、イオン交換ポリマー、原油増産用高分子、捺染用糊剤、染料固着剤、繊維用防染加工剤、均染剤、緩染剤、布加工薬剤、紙用サイズ剤、紙力増強剤、重金属類溶出抑制剤、重金属類固定化剤、セレン処理剤、ダイオキシン類の処理薬剤、排ガスの処理薬剤、冷却水処理薬剤、汚泥の凝固剤、ガソリンの脱水剤、ガソリンの水分除去剤、油類の脱水剤、油類の水分除去剤、印刷インキ用バインダー、水溶性バインダー、不織布用バインダー、プラスチック強化繊維用バインダー、電子写真トナー用バインダー、磁気テープ用バインダー、レジンコンクリート用バインダー、鋳物砂用バインダー、ファインセラミック用バインダー、スケール防止剤、防錆剤、繊維処理剤、つや出しコーティング剤、シーラント、接着剤、導電剤、流動点降下剤、プラスチック着色助剤、ろ水性・歩留り向上剤、プラスチック・ハードコート剤、フォトレジスト用高分子、電磁波シールド用コーティング剤、プライマー、焼き入れ油用高分子、作動液用高分子、吸油性高分子、エポキシ樹脂硬化剤、樹脂強化剤、感光性組成物、シリカガラス添加剤、コーティング剤、包装材料、一般工業用フィルム、包装材料用フィルム、射出成形機洗浄用組成物、水膨潤性玩具、シャボン玉、人工雪、消火剤若しくは延焼抑制剤水溶液としての又はこれらにおける使用である、請求項１又は２に記載の使用。
【請求項４】
メイクアップ用品、サンケア用品、ボディケア用品、ハンドケア用品、臭い制御用品、香り制御用品、保健関連用品、農業資材、食品関連材料、土木関連材料、建築関連材料、電気機器関連材料、電子機器関連材料、筆記関連材料、塗装関連材料、印刷関連材料、電子印刷関連材料、製造プロセス関連材料、分析関連材料、坑井関連材料、染色関連材料、布処理関連材料、製紙関連材料、環境対策処理用材料、又はバインダーにおける使用である、請求項１又は請求項２に記載の使用。
【請求項５】
前記一般式（Ｉ）におけるＲ１が、ヘキシル基、オクチル基、デシル基、ドデシル基、テトラデシル基、オクタデシル基及びイソプロピル基からなる群から選択され、一般式（II）におけるＲ2が、Ｎ，Ｎ−ジメチルアミノプロピル基、Ｎ，Ｎ−ジエチルアミノプロピル基、ヒドロキシメチル基、ヒドロキシエチル基、ヒドロキシプロピル基、ヒドロキシブチル基、ヒドロキシペンチル基、ヒドロキシエトキシエチル基、メトキシメチル基、メトキシエチル基、メトキシプロピル基、メトキシブチル基、メトキシペンチル基、エトキシメチル基、エトキシエチル基、エトキシプロピル基、エトキシブチル基及びエトキシペンチル基からなる群から選択される少なくとも１種類を含む、請求項１〜４のいずれか一項に記載の使用。
【請求項６】
下記一般式（Ｉ）又は（II）
【化５】
2019089897.tif 000018
【化６】
2019089897.tif 000019
（式中、Ｒ１は炭素原子数３〜１８の炭化水素基を示し、Ｒ２はヘテロ原子を含んでも構わない炭素原子数１〜２０の炭化水素基を示す）
で表されるα型又はβ型ポリアスパラギン酸単量体単位の少なくとも１種類の単量体単位を含むポリマーを含む剤であって、
界面活性剤、増粘剤、減粘剤、膨潤剤、吸水剤、ゲル化剤、結合剤、成膜剤、凝集剤、接着剤、表面改質剤、及び徐放剤からなる群から選択される、剤。
【請求項７】
前記一般式（Ｉ）におけるＲ１が、ヘキシル基、オクチル基、デシル基、ドデシル基、テトラデシル基、オクタデシル基及びイソプロピル基からなる群から選択され、一般式（II）におけるＲ2が、Ｎ，Ｎ−ジメチルアミノプロピル基、Ｎ，Ｎ−ジエチルアミノプロピル基、ヒドロキシメチル基、ヒドロキシエチル基、ヒドロキシプロピル基、ヒドロキシブチル基、ヒドロキシペンチル基、ヒドロキシエトキシエチル基、メトキシメチル基、メトキシエチル基、メトキシプロピル基、メトキシブチル基、メトキシペンチル基、エトキシメチル基、エトキシエチル基、エトキシプロピル基、エトキシブチル基及びエトキシペンチル基からなる群から選択される少なくとも１種類を含む、請求項６に記載の剤。
【請求項８】
下記一般式（Ｉ）又は（II）
【化７】
2019089897.tif 000020
【化８】
2019089897.tif 000021
（式中、Ｒ１は炭素原子数３〜１８の炭化水素基を示し、Ｒ２はヘテロ原子を含んでも構わない炭素原子数１〜２０の炭化水素基を示す）
で表されるα型又はβ型ポリアスパラギン酸単量体単位の少なくとも１種類の単量体単位を含むポリマーを含む材料であって、
界面活性剤、増粘剤、安定剤、保湿剤、除湿剤、調湿剤、吸湿剤、保水材、発泡剤、増泡剤、起泡増泡剤、泡安定化剤、消泡剤、可溶化剤、分散剤、乳化剤、帯電防止剤、キレート剤、凝着剤、エマルジョンブレーカー、滑剤、薬剤用担体、徐放剤、相溶化剤、高分子凝集剤及び可塑剤から選択される剤、化粧品、香粧品、医薬品、医薬部外品、医薬関連材料、医療関連用品、保健関連用品、衛生材料、生活用品、農業資材、食品関連材料、土木関連材料、建築関連材料、電気機器関連材料、電子機器関連材料、筆記関連材料、塗装関連材料、印刷関連材料、電子印刷関連材料、製造プロセス関連材料、分析関連材料、坑井関連材料、染色関連材料、布処理関連材料、製紙関連材料、環境対策処理用材料、バインダー、及びこれら以外の処理剤若しくは機能材料若しくは機能部材からなる群から選択される、材料。
【請求項９】
界面活性剤、安定剤、保湿剤、除湿剤、調湿剤、吸湿剤、保水材、発泡剤、泡安定化剤、消泡剤、可溶化剤、分散剤、乳化剤、帯電防止剤、キレート剤、凝着剤、エマルジョンブレーカー、滑剤、薬剤用担体、徐放剤、相溶化剤、高分子凝集剤、可塑剤、乳液、エマルジョン、クリーム、ローション、クレンジングクリーム、シェービングクリーム、パック、おしろい、口紅、マニキュア、ペディキュア、固形化粧料、固形粉末化粧料、粉体化粧料、油性化粧料、水中油型固型化粧料、油中水型乳化化粧料、水性二層型化粧料、凹凸補正化粧料、油中水型コンシーラー、化粧料用フィラー、フォームエアゾール化粧料、ヘアコンディショナー、セット用ジェル剤、ヘアトニック、デオドラント、消臭剤、消香剤、香水、オーデコロン、オードトワレ、フレグランス、揮散剤、薬剤保持体、錠剤コーティング剤、内側空間に薬剤を格納するためのシームレスのカプセル基剤、創傷保護用ドレッシング材、医療用アンダーパット、パップ剤、医療用血液吸収体、培養細胞シート、手術用縫合糸、人工皮膚、スキャホールド、目薬、コンタクトレンズ洗浄剤、歯石沈着防止剤、生理用品、おむつ、母乳パット、失禁用パッド、使い捨て雑巾、ペット用シート、携帯用トイレ、芳香剤、消臭剤、吸汗性繊維、ぬれティッシュー、使い捨てカイロ、消臭除湿シート、脱臭剤、脱酸素剤、ビルダー、洗濯用消臭抗菌仕上げ剤、入浴剤、保水材、土壌改良剤、灌注液、切り花の延命剤、フローラルフォーム、育苗用苗床、水耕栽培植生シート、種子テープ、流体播種用媒体、結露防止用農業用シート、食品鮮度保持剤、脱水剤、食品包装材、保冷材、運搬用資材、麺質改良剤、食品添加物、結露防止用建築材料、土木用のシーリング材、建築用のシーリング材、シールド工法の逸泥防止剤、コンクリート混和剤、コンクリート用防水剤、ガスケット・パッキング、フロアポリッシュ用高分子、マスキング剤、塗料用高分子、電子機器のシール材、電子機器のコーティング材、光ファイバーのシール材、光ファイバーのコーティング材、通信ケーブル用止水材、プリント配線板用防湿コーティング剤、塗料、インキ、トナー、インクジェットインク、水性インキ、ボールペン用インキ、金属光沢色インキ、消去可能なインキ、筆記具用レフィル、インクジェット用記録紙、イオン交換膜である高分子機能性膜、逆浸透膜である高分子機能性膜、正浸透膜である高分子機能性膜、ガス分離膜である高分子機能性膜、プロトン伝導膜である高分子機能性膜、イオン交換ポリマー、原油増産用高分子、捺染用糊剤、染料固着剤、繊維用防染加工剤、均染剤、緩染剤、布加工薬剤、紙用サイズ剤、紙力増強剤、重金属類溶出抑制剤、重金属類固定化剤、セレン処理剤、ダイオキシン類の処理薬剤、排ガスの処理薬剤、冷却水処理薬剤、汚泥の凝固剤、ガソリンの脱水剤、ガソリンの水分除去剤、油類の脱水剤、油類の水分除去剤、印刷インキ用バインダー、水溶性バインダー、不織布用バインダー、プラスチック強化繊維用バインダー、電子写真トナー用バインダー、磁気テープ用バインダー、レジンコンクリート用バインダー、鋳物砂用バインダー、ファインセラミック用バインダー、スケール防止剤、防錆剤、繊維処理剤、つや出しコーティング剤、シーラント、接着剤、導電剤、流動点降下剤、プラスチック着色助剤、ろ水性・歩留り向上剤、プラスチック・ハードコート剤、フォトレジスト用高分子、電磁波シールド用コーティング剤、プライマー、焼き入れ油用高分子、作動液用高分子、吸油性高分子、エポキシ樹脂硬化剤、樹脂強化剤、感光性組成物、シリカガラス添加剤、コーティング剤、包装材料、一般工業用フィルム、包装材料用フィルム、射出成形機洗浄用組成物、水膨潤性玩具、シャボン玉、人工雪、消火剤並びに延焼抑制剤水溶液からなる群から選択される材料である、請求項８に記載の材料。
【請求項１０】
メイクアップ用品、サンケア用品、ボディケア用品、ハンドケア用品、臭い制御用品、香り制御用品、保健関連用品、農業資材、食品関連材料、土木関連材料、建築関連材料、電気機器関連材料、電子機器関連材料、筆記関連材料、塗装関連材料、印刷関連材料、電子印刷関連材料、製造プロセス関連材料、分析関連材料、坑井関連材料、染色関連材料、布処理関連材料、製紙関連材料、環境対策処理用材料、及びバインダーからなる群から選択される材料である、請求項８に記載の材料。
【請求項１１】
前記一般式（Ｉ）におけるＲ１が、ヘキシル基、オクチル基、デシル基、ドデシル基、テトラデシル基、オクタデシル基及びイソプロピル基からなる群から選択され、一般式（II）におけるＲ2が、Ｎ，Ｎ−ジメチルアミノプロピル基、Ｎ，Ｎ−ジエチルアミノプロピル基、ヒドロキシメチル基、ヒドロキシエチル基、ヒドロキシプロピル基、ヒドロキシブチル基、ヒドロキシペンチル基、ヒドロキシエトキシエチル基、メトキシメチル基、メトキシエチル基、メトキシプロピル基、メトキシブチル基、メトキシペンチル基、エトキシメチル基、エトキシエチル基、エトキシプロピル基、エトキシブチル基及びエトキシペンチル基からなる群から選択される少なくとも１種類を含む、請求項８〜１０のうちいずれか一項に記載の材料。
【発明の詳細な説明】
【技術分野】
【０００１】
本開示は、親水性部分として特定の親水性置換基を有する構造単位を含み、疎水性部分として特定の疎水性置換基を有する構造単位を含む修飾ポリアスパラギン酸系ポリマーの使用並びに前記ポリマーを含む剤及び材料に関する。
【背景技術】
【０００２】
特許文献１には、生体適合性に優れたアミノ酸を原料とした特定の構造単位を有するポリアミノ酸誘導体を含有し、増粘作用及び／又は起泡若しくは増泡作用を有する組成物が開示されている。
【先行技術文献】
【特許文献】
【０００３】
【特許文献１】特開２００５−３４４０６１号公報
【発明の概要】
【発明が解決しようとする課題】
【０００４】
本開示は、修飾ポリアスパラギン酸系ポリマーの新たな用途における使用及び前記ポリマーを含む剤及び材料を提供することを課題とする。
【課題を解決するための手段】
【０００５】
本開示の態様は、以下のものを含む。
＜１＞  下記一般式（Ｉ）又は（II）
【０００６】
【化１】
2019089897.tif 000002
【０００７】
【化２】
2019089897.tif 000003
【０００８】
（式中、Ｒ１は炭素原子数３〜１８の炭化水素基を示し、Ｒ２はヘテロ原子を含んでも構わない炭素原子数１〜２０の炭化水素基を示す）
で表されるα型又はβ型ポリアスパラギン酸単量体単位の少なくとも１種類の単量体単位を含むポリマーの、界面活性剤、増粘剤、減粘剤、膨潤剤、吸水剤、ゲル化剤、結合剤、成膜剤、凝集剤、接着剤、表面改質剤、又は徐放剤としての使用。
【０００９】
＜２＞  下記一般式（Ｉ）又は（II）
【００１０】
【化３】
2019089897.tif 000004
【００１１】
【化４】
2019089897.tif 000005
【００１２】
（式中、Ｒ１は炭素原子数３〜１８の炭化水素基を示し、Ｒ２はヘテロ原子を含んでも構わない炭素原子数１〜２０の炭化水素基を示す）
で表されるα型又はβ型ポリアスパラギン酸単量体単位の少なくとも１種類の単量体単位を含むポリマーの、
界面活性剤、増粘剤、安定剤、保湿剤、除湿剤、調湿剤、吸湿剤、保水材、発泡剤、増泡剤、起泡増泡剤、泡安定化剤、消泡剤、可溶化剤、分散剤、乳化剤、帯電防止剤、キレート剤、凝着剤、エマルジョンブレーカー、滑剤、薬剤用担体、徐放剤、相溶化剤、高分子凝集剤及び可塑剤から選択される剤、化粧品、香粧品、医薬品、医薬部外品、医薬関連材料、医療関連用品、保健関連用品、衛生材料、生活用品、農業資材、食品関連材料、土木関連材料、建築関連材料、電気機器関連材料、電子機器関連材料、筆記関連材料、塗装関連材料、印刷関連材料、電子印刷関連材料、製造プロセス関連材料、分析関連材料、坑井関連材料、染色関連材料、布処理関連材料、製紙関連材料、環境対策処理用材料、バインダー、又はこれら以外の処理剤若しくは機能材料若しくは機能部材における使用。
【００１３】
＜３＞  界面活性剤、安定剤、保湿剤、除湿剤、調湿剤、吸湿剤、保水材、発泡剤、泡安定化剤、消泡剤、可溶化剤、分散剤、乳化剤、帯電防止剤、キレート剤、凝着剤、エマルジョンブレーカー、滑剤、薬剤用担体、徐放剤、相溶化剤、高分子凝集剤、可塑剤、乳液、エマルジョン、クリーム、ローション、クレンジングクリーム、シェービングクリーム、パック、おしろい、口紅、マニキュア、ペディキュア、固形化粧料、固形粉末化粧料、粉体化粧料、油性化粧料、水中油型固型化粧料、油中水型乳化化粧料、水性二層型化粧料、凹凸補正化粧料、油中水型コンシーラー、化粧料用フィラー、フォームエアゾール化粧料、ヘアコンディショナー、セット用ジェル剤、ヘアトニック、デオドラント、消臭剤、消香剤、香水、オーデコロン、オードトワレ、フレグランス、揮散剤、薬剤保持体、錠剤コーティング剤、内側空間に薬剤を格納するためのシームレスのカプセル基剤、創傷保護用ドレッシング材、医療用アンダーパット、パップ剤、医療用血液吸収体、培養細胞シート、手術用縫合糸、人工皮膚、スキャホールド、目薬、コンタクトレンズ洗浄剤、歯石沈着防止剤、生理用品、おむつ、母乳パット、失禁用パッド、使い捨て雑巾、ペット用シート、携帯用トイレ、芳香剤、消臭剤、吸汗性繊維、ぬれティッシュー、使い捨てカイロ、消臭除湿シート、脱臭剤、脱酸素剤、ビルダー、洗濯用消臭抗菌仕上げ剤、入浴剤、保水材、土壌改良剤、灌注液、切り花の延命剤、フローラルフォーム、育苗用苗床、水耕栽培植生シート、種子テープ、流体播種用媒体、結露防止用農業用シート、食品鮮度保持剤、脱水剤、食品包装材、保冷材、運搬用資材、麺質改良剤、食品添加物、結露防止用建築材料、土木用のシーリング材、建築用のシーリング材、シールド工法の逸泥防止剤、コンクリート混和剤、コンクリート用防水剤、ガスケット・パッキング、フロアポリッシュ用高分子、マスキング剤、塗料用高分子、電子機器のシール材、電子機器のコーティング材、光ファイバーのシール材、光ファイバーのコーティング材、通信ケーブル用止水材、プリント配線板用防湿コーティング剤、塗料、インキ、トナー、インクジェットインク、水性インキ、ボールペン用インキ、金属光沢色インキ、消去可能なインキ、筆記具用レフィル、インクジェット用記録紙、イオン交換膜である高分子機能性膜、逆浸透膜である高分子機能性膜、正浸透膜である高分子機能性膜、ガス分離膜である高分子機能性膜、プロトン伝導膜である高分子機能性膜、イオン交換ポリマー、原油増産用高分子、捺染用糊剤、染料固着剤、繊維用防染加工剤、均染剤、緩染剤、布加工薬剤、紙用サイズ剤、紙力増強剤、重金属類溶出抑制剤、重金属類固定化剤、セレン処理剤、ダイオキシン類の処理薬剤、排ガスの処理薬剤、冷却水処理薬剤、汚泥の凝固剤、ガソリンの脱水剤、ガソリンの水分除去剤、油類の脱水剤、油類の水分除去剤、印刷インキ用バインダー、水溶性バインダー、不織布用バインダー、プラスチック強化繊維用バインダー、電子写真トナー用バインダー、磁気テープ用バインダー、レジンコンクリート用バインダー、鋳物砂用バインダー、ファインセラミック用バインダー、スケール防止剤、防錆剤、繊維処理剤、つや出しコーティング剤���シーラント、接着剤、導電剤、流動点降下剤、プラスチック着色助剤、ろ水性・歩留り向上剤、プラスチック・ハードコート剤、フォトレジスト用高分子、電磁波シールド用コーティング剤、プライマー、焼き入れ油用高分子、作動液用高分子、吸油性高分子、エポキシ樹脂硬化剤、樹脂強化剤、感光性組成物、シリカガラス添加剤、コーティング剤、包装材料、一般工業用フィルム、包装材料用フィルム、射出成形機洗浄用組成物、水膨潤性玩具、シャボン玉、人工雪、消火剤若しくは延焼抑制剤水溶液としての又はこれらにおける使用である、＜１＞又は＜２＞に記載の使用。
【００１４】
＜４＞  メイクアップ用品、サンケア用品、ボディケア用品、ハンドケア用品、臭い制御用品、香り制御用品、保健関連用品、農業資材、食品関連材料、土木関連材料、建築関連材料、電気機器関連材料、電子機器関連材料、筆記関連材料、塗装関連材料、印刷関連材料、電子印刷関連材料、製造プロセス関連材料、分析関連材料、坑井関連材料、染色関連材料、布処理関連材料、製紙関連材料、環境対策処理用材料、又はバインダーにおける使用である、＜１＞又は＜２＞に記載の使用。
【００１５】
＜５＞  前記一般式（Ｉ）におけるＲ１が、ヘキシル基、オクチル基、デシル基、ドデシル基、テトラデシル基、オクタデシル基及びイソプロピル基からなる群から選択され、一般式（II）におけるＲ2が、Ｎ，Ｎ−ジメチルアミノプロピル基、Ｎ，Ｎ−ジエチルアミノプロピル基、ヒドロキシメチル基、ヒドロキシエチル基、ヒドロキシプロピル基、ヒドロキシブチル基、ヒドロキシペンチル基、ヒドロキシエトキシエチル基、メトキシメチル基、メトキシエチル基、メトキシプロピル基、メトキシブチル基、メトキシペンチル基、エトキシメチル基、エトキシエチル基、エトキシプロピル基、エトキシブチル基及びエトキシペンチル基からなる群から選択される少なくとも１種類を含む、＜１＞〜＜４＞のいずれか一つに記載の使用。
【００１６】
＜６＞  下記一般式（Ｉ）又は（II）
【００１７】
【化５】
2019089897.tif 000006
【００１８】
【化６】
2019089897.tif 000007
【００１９】
（式中、Ｒ１は炭素原子数３〜１８の炭化水素基を示し、Ｒ２はヘテロ原子を含んでも構わない炭素原子数１〜２０の炭化水素基を示す）
で表されるα型又はβ型ポリアスパラギン酸単量体単位の少なくとも１種類の単量体単位を含むポリマーを含む剤であって、
界面活性剤、増粘剤、減粘剤、膨潤剤、吸水剤、ゲル化剤、結合剤、成膜剤、凝集剤、接着剤、表面改質剤、及び徐放剤からなる群から選択される、剤。
【００２０】
＜７＞  前記一般式（Ｉ）におけるＲ１が、ヘキシル基、オクチル基、デシル基、ドデシル基、テトラデシル基、オクタデシル基及びイソプロピル基からなる群から選択され、一般式（II）におけるＲ2が、Ｎ，Ｎ−ジメチルアミノプロピル基、Ｎ，Ｎ−ジエチルアミノプロピル基、ヒドロキシメチル基、ヒドロキシエチル基、ヒドロキシプロピル基、ヒドロキシブチル基、ヒドロキシペンチル基、ヒドロキシエトキシエチル基、メトキシメチル基、メトキシエチル基、メトキシプロピル基、メトキシブチル基、メトキシペンチル基、エトキシメチル基、エトキシエチル基、エトキシプロピル基、エトキシブチル基及びエトキシペンチル基からなる群から選択される少なくとも１種類を含む、＜６＞に記載の剤。
【００２１】
＜８＞  下記一般式（Ｉ）又は（II）
【００２２】
【化７】
2019089897.tif 000008
【００２３】
【化８】
2019089897.tif 000009
【００２４】
（式中、Ｒ１は炭素原子数３〜１８の炭化水素基を示し、Ｒ２はヘテロ原子を含んでも構わない炭素原子数１〜２０の炭化水素基を示す）
で表されるα型又はβ型ポリアスパラギン酸単量体単位の少なくとも１種類の単量体単位を含むポリマーを含む材料であって、
界面活性剤、増粘剤、安定剤、保湿剤、除湿剤、調湿剤、吸湿剤、保水材、発泡剤、増泡剤、起泡増泡剤、泡安定化剤、消泡剤、可溶化剤、分散剤、乳化剤、帯電防止剤、キレート剤、凝着剤、エマルジョンブレーカー、滑剤、薬剤用担体、徐放剤、相溶化剤、高分子凝集剤及び可塑剤から選択される剤、化粧品、香粧品、医薬品、医薬部外品、医薬関連材料、医療関連用品、保健関連用品、衛生材料、生活用品、農業資材、食品関連材料、土木関連材料、建築関連材料、電気機器関連材料、電子機器関連材料、筆記関連材料、塗装関連材料、印刷関連材料、電子印刷関連材料、製造プロセス関連材料、分析関連材料、坑井関連材料、染色関連材料、布処理関連材料、製紙関連材料、環境対策処理用材料、バインダー、及びこれら以外の処理剤若しくは機能材料若しくは機能部材からなる群から選択される、材料。
【００２５】
＜９＞  界面活性剤、安定剤、保湿剤、除湿剤、調湿剤、吸湿剤、保水材、発泡剤、泡安定化剤、消泡剤、可溶化剤、分散剤、乳化剤、帯電防止剤、キレート剤、凝着剤、エマルジョンブレーカー、滑剤、薬剤用担体、徐放剤、相溶化剤、高分子凝集剤、可塑剤、乳液、エマルジョン、クリーム、ローション、クレンジングクリーム、シェービングクリーム、パック、おしろい、口紅、マニキュア、ペディキュア、固形化粧料、固形粉末化粧料、粉体化粧料、油性化粧料、水中油型固型化粧料、油中水型乳化化粧料、水性二層型化粧料、凹凸補正化粧料、油中水型コンシーラー、化粧料用フィラー、フォームエアゾール化粧料、ヘアコンディショナー、セット用ジェル剤、ヘアトニック、デオドラント、消臭剤、消香剤、香水、オーデコロン、オードトワレ、フレグランス、揮散剤、薬剤保持体、錠剤コーティング剤、内側空間に薬剤を格納するためのシームレスのカプセル基剤、創傷保護用ドレッシング材、医療用アンダーパット、パップ剤、医療用血液吸収体、培養細胞シート、手術用縫合糸、人工皮膚、スキャホールド、目薬、コンタクトレンズ洗浄剤、歯石沈着防止剤、生理用品、おむつ、母乳パット、失禁用パッド、使い捨て雑巾、ペット用シート、携帯用トイレ、芳香剤、消臭剤、吸汗性繊維、ぬれティッシュー、使い捨てカイロ、消臭除湿シート、脱臭剤、脱酸素剤、ビルダー、洗濯用消臭抗菌仕上げ剤、入浴剤、保水材、土壌改良剤、灌注液、切り花の延命剤、フローラルフォーム、育苗用苗床、水耕栽培植生シート、種子テープ、流体播種用媒体、結露防止用農業用シート、食品鮮度保持剤、脱水剤、食品包装材、保冷材、運搬用資材、麺質改良剤、食品添加物、結露防止用建築材料、土木用のシーリング材、建築用のシーリング材、シールド工法の逸泥防止剤、コンクリート混和剤、コンクリート用防水剤、ガスケット・パッキング、フロアポリッシュ用高分子、マスキング剤、塗料用高分子、電子機器のシール材、電子機器のコーティング材、光ファイバーのシール材、光ファイバーのコーティング材、通信ケーブル用止水材、プリント配線板用防湿コーティング剤、塗料、インキ、トナー、インクジェットインク、水性インキ、ボールペン用インキ、金属光沢色インキ、消去可能なインキ、筆記具用レフィル、インクジェット用記録紙、イオン交換膜である高分子機能性膜、逆浸透膜である高分子機能性膜、正浸透膜である高分子機能性膜、ガス分離膜である高分子機能性膜、プロトン伝導膜である高分子機能性膜、イオン交換ポリマー、原油増産用高分子、捺染用糊剤、染料固着剤、繊維用防染加工剤、均染剤、緩染剤、布加工薬剤、紙用サイズ剤、紙力増強剤、重金属類溶出抑制剤、重金属類固定化剤、セレン処理剤、ダイオキシン類の処理薬剤、排ガスの処理薬剤、冷却水処理薬剤、汚泥の凝固剤、ガソリンの脱水剤、ガソリンの水分除去剤、油類の脱水剤、油類の水分除去剤、印刷インキ用バインダー、水溶性バインダー、不織布用バインダー、プラスチック強化繊維用バインダー、電子写真トナー用バインダー、磁気テープ用バインダー、レジンコンクリート用バインダー、鋳物砂用バインダー、ファインセラミック用バインダー、スケール防止剤、防錆剤、繊維処理剤、つや出しコーティング剤���シーラント、接着剤、導電剤、流動点降下剤、プラスチック着色助剤、ろ水性・歩留り向上剤、プラスチック・ハードコート剤、フォトレジスト用高分子、電磁波シールド用コーティング剤、プライマー、焼き入れ油用高分子、作動液用高分子、吸油性高分子、エポキシ樹脂硬化剤、樹脂強化剤、感光性組成物、シリカガラス添加剤、コーティング剤、包装材料、一般工業用フィルム、包装材料用フィルム、射出成形機洗浄用組成物、水膨潤性玩具、シャボン玉、人工雪、消火剤並びに延焼抑制剤水溶液からなる群から選択される材料である、＜８＞に記載の材料。
【００２６】
＜１０＞  メイクアップ用品、サンケア用品、ボディケア用品、ハンドケア用品、臭い制御用品、香り制御用品、保健関連用品、農業資材、食品関連材料、土木関連材料、建築関連材料、電気機器関連材料、電子機器関連材料、筆記関連材料、塗装関連材料、印刷関連材料、電子印刷関連材料、製造プロセス関連材料、分析関連材料、坑井関連材料、染色関連材料、布処理関連材料、製紙関連材料、環境対策処理用材料、及びバインダーからなる群から選択される材料である、＜８＞に記載の材料。
【００２７】
＜１１＞  前記一般式（Ｉ）におけるＲ１が、ヘキシル基、オクチル基、デシル基、ドデシル基、テトラデシル基、オクタデシル基及びイソプロピル基からなる群から選択され、一般式（II）におけるＲ2が、Ｎ，Ｎ−ジメチルアミノプロピル基、Ｎ，Ｎ−ジエチルアミノプロピル基、ヒドロキシメチル基、ヒドロキシエチル基、ヒドロキシプロピル基、ヒドロキシブチル基、ヒドロキシペンチル基、ヒドロキシエトキシエチル基、メトキシメチル基、メトキシエチル基、メトキシプロピル基、メトキシブチル基、メトキシペンチル基、エトキシメチル基、エトキシエチル基、エトキシプロピル基、エトキシブチル基及びエトキシペンチル基からなる群から選択される少なくとも１種類を含む、＜８＞〜＜１０＞のうちいずれか一つに記載の材料。
【発明の効果】
【００２８】
本開示によれば、修飾ポリアスパラギン酸系ポリマーの新たな用途における使用及び前記ポリマーを含む剤及び材料が提供される。
【発明を実施するための形態】
【００２９】
本開示に係るポリマーは、下記一般式（Ｉ）又は（II）
【００３０】
【化９】
2019089897.tif 000010
【００３１】
【化１０】
2019089897.tif 000011
【００３２】
（式中、Ｒ１は炭素原子数３〜１８の炭化水素基を示し、Ｒ２はヘテロ原子を含んでも構わない炭素原子数１〜２０の炭化水素基を示す。）
で表されるα型又はβ型ポリアスパラギン酸単量体単位の少なくとも１種類の単量体単位を含む、
【００３３】
一般式（II）の割合が多くなればＲ２で示される親水性基の影響が大きくなるため、ポリマーの水溶性が大きくなり、また一般式（I）の割合が多くなればＲ１で示される疎水性基の影響が大きくなるため、水には溶け難く脂溶性が大きくなる。
【００３４】
一般式（Ｉ）の単量体単位において、Ｒ１は炭素原子数３〜１８の炭化水素基を示す。
一般式（Ｉ）のＲ1の炭素原子数３〜１８の炭化水素基としては、疎水性で飽和又は不飽和の炭化水素基が挙げられる。Ｒ1の具体例としては、プロピル基、ブチル基、ペンチル基、ヘキシル基、オクチル基、ドデシル基、オクタデシル基等の直鎖状アルキル基；イソプロピル基、イソブチル基、イソペンチル基、イソヘキシル基等の分岐状アルキル基；シクロブチル基、シクロペンチル基、シクロヘキシル基等のシクロアルキル基；シクロブチルメチル基、シクロペンチルメチル基、シクロヘキシルメチル基、シクロブチルエチル基、シクロペンチルエチル基、シクロヘキシルエチル基、シクロブチルプロピル基、シクロペンチルプロピル基、シクロヘキシルプロピル基、シクロブチルブチル基、シクロペンチルブチル基、シクロヘキシルブチル基等のシクロアルキルアルキル基；プロペニル基、ブテニル基、ペンテニル基、ヘキセニル基等のアルケニル基が挙げられる。
【００３５】
一般式（II）の単量体単位において、Ｒ２はヘテロ原子を含んでも構わない炭素原子数１〜２０の炭化水素基を示す。
一般式（II）のＲ2のヘテロ原子を含んでも構わない炭素原子数１〜２０の炭化水素基としては、親水性でＮ、Ｏ、Ｓ等を含んでいてもよい飽和又は不飽和の炭化水素基が挙げられる。Ｒ2の具体例としては、ヒドロキシメチル基、ヒドロキシエチル基、ヒドロキシプロピル基、ヒドロキシブチル基、ヒドロキシペンチル基、ヒドロキシヘキシル基、ヒドロキシヘプチル基、ヒドロキシオクチル基等のヒドロキシアルキル基；ジメチルアミノ基、ジエチルアミノ基、ジプロピルアミノ基、ジブチルアミノ基等のジアルキルアミノ基；アザプロピル基、アザブチル基、アザペンチル基、アザヘキシル基、Ｎ,Ｎ−ジメチルアミノブチル基、Ｎ,Ｎ−ジメチルアミノプロピル基、Ｎ,Ｎ−ジメチルアミノエチル基、Ｎ,Ｎ−ジメチルアミノメチル基、Ｎ,Ｎ−ジエチルアミノブチル基、Ｎ,Ｎ−ジエチルアミノプロピル基、Ｎ,Ｎ−ジエチルアミノエチル基、Ｎ,Ｎ−ジエチルアミノメチル基等のアザアルキル基；アザプロペニル基、アザブテニル基、アザペンテニル基、アザヘキセニル基、Ｎ,Ｎ−ジメチルアミノプロペニル基、Ｎ,Ｎ−ジメチルアミノブテニル基、Ｎ,Ｎ−ジメチルアミノヘキセニル基、Ｎ,Ｎ−ジエチルアミノプロペニル基等のアザアルケニル基；オキサエチル基、オキサプロピル基、オキサブチル基、オキサペンチル基、オキサヘキシル基、オキサヘプチル基、オキサオクチル基等のオキサアルキル基；オキサプロペニル基、オキサブテニル基、オキサペンテニル基、オキサヘキセニル基、オキサヘプテニル基、オキサオクテニル基等のオキサアルキケニル基；チオブチル基、チオペンチル基、チオヘキシル基、チオヘプチル基、チオオクチル基等のチオアルキル基；チオペンテニル基、チオヘキセニル基、チオヘプテニル基、チオオクテニル基等のチオアルケニル基；ヒドロキシエトキシエチル基、ヒドロキシエトキシプロピル基、ヒドロキシエトキシブチル基、ヒドロキシプロポキシエチル基、ヒドロキシプロポキシプロピル基、ヒドロキシプロポキシブチル基等のヒドロキシアルコキシアルキル基；メトキシエトキシエチル基、メトキシエトキシプロピル基、メトキシエトキシブチル基、メトキシプロポキシエチル基、メトキシプロポキシプロピル基、メトキシプロポキシブチル基等のアルコキシアルコキシアルキル基などが挙げられる。
【００３６】
好ましくは一般式（I）において、Ｒ１がヘキシル基、オクチル基、デシル基、ドデシル基、テトラデシル基、オクタデシル基及びイソプロピル基からなる群から選択される基であり、一般式（II）において、Ｒ２がＮ，Ｎ−ジメチルアミノプロピル基、Ｎ，Ｎ−ジエチルアミノプロピル基、ヒドロキシメチル基、ヒドロキシエチル基、ヒドロキシプロピル基、ヒドロキシブチル基、ヒドロキシペンチル基、ヒドロキシエトキシエチル基、メトキシメチル基、メトキシエチル基、メトキシプロピル基、メトキシブチル基、メトキシペンチル基、エトキシメチル基、エトキシエチル基、エトキシプロピル基、エトキシブチル基及びエトキシペンチル基からなる群から選択される基である。
【００３７】
なお、一般式（Ｉ）及び（II）中のＲ１とＲ２は、それぞれ複数の異なる基から構成されていてもよい。
【００３８】
本開示に係るポリマーにおいて、α−アミド型単量体単位及びβ−アミド型単量体単位は、何れか一方のみが存在していてもよく、両者が併存していてもよい。併存している場合、α−アミド型単量体単位とβ−アミド型単量体単位の比率は特に限定されない。
【００３９】
本開示に係るポリマーは、例えば、ポリこはく酸イミドを原料として製造できる。
ポリこはく酸イミドは、従来より知られる各種の方法で製造でき、例えば、J.Am.Chem.Soc.,80,3361(1985) には、アスパラギン酸を２００℃で２〜３時間加熱縮合させることにより、ポリこはく酸イミドを製造する方法が開示されている。特公昭４８−２０６３８号公報には、８５％のリン酸を触媒としてロータリーエバポレーターを使用して薄膜状でアスパラギン酸の反応を行うことにより、高分子量のポリこはく酸イミドを得る方法が開示されている。米国特許第５０５７５９７号には、工業的にポリこはく酸イミドを得る方法として、流動床によりポリアスパラギン酸を加熱縮合させる方法が開示されている。また、さらに高分子量のポリこはく酸イミドを必要とする場合には、上記の方法で得られたポリこはく酸イミドを、ジシクロヘキシルカルボジイミドなどの縮合剤で処理することにより連結することもできる。
【００４０】
本開示に係るポリマーを製造する為に使用するポリこはく酸イミドの分子量は、所望の特性を有する生成物が実質的に得られれば特に制限されない。一般的には、ポリこはく酸イミドの分子量は、２０００〜５０００００程度が好ましく、１００００〜４０００００程度がより好ましく、１５０００〜２０００００程度が特に好ましい。この分子量は、ゲル・パーミエーション・クロマトグラフィーで、Ｎ,Ｎ−ジメチルホルムアミド溶液中、４５℃で測定し、ポリスチレン標準で求めた値である。使用するポリこはく酸イミドの分子量が低ければ、得られるポリマーの分子量も低くなり、ポリこはく酸イミドの分子量が高ければ、得られるポリマーの分子量も高くなる。
【００４１】
ポリこはく酸イミドからポリマーを製造する際の方法は、特に制限されず、例えば、以下の製造方法が挙げられる。先ず、ポリこはく酸イミドを適当な溶媒に溶解する。この溶媒としては、ポリこはく酸イミドが溶解し、アミン類との反応で副反応を起こさなければ特に限定されない。例えば、Ｎ,Ｎ−ジメチルホルムアミド、ジメチルスルホキシド、スルホラン等が用いられる。
【００４２】
この溶媒中で、ポリこはく酸イミドのイミド環に対して、ドデシルアミン、オクタデシルアミン、Ｎ,Ｎ−ジメチルアミノプロピルアミン、２−アミノエタノール、３−アミノプロパノール、４−アミノブタノール等のアミン類を反応させる。ポリこはく酸イミドのイミド環のモル数に対して、アミン類を１倍モル添加し反応を行うと、アミン類はイミド環を開環させて付加し、側鎖のグラフト構造を形成する。
【００４３】
次いで、得られた反応混合物を、貧溶媒中に排出する。この貧溶媒としては、ポリマーが沈殿し、その後濾過乾燥した際に、ポリマーの結晶中に残存しないような溶媒であれば特に限定されない。例えば、アセトニトリル、アセトン、メタノール、エタノール等が用いられる。上述のようにして得た沈殿を濾取し、貧溶媒で洗浄し、乾燥することにより、目的のポリマーが得られる。
【００４４】
本開示に係るポリマーとしては、非イオン性のポリマーであれば良く、特に制限はないが、本開示においては、上記に説明したポリマーが好適に用いられる。より具体的には、アスパラギン酸ラウリルアミド−ヒドロキシエチルアミド共重合体、アスパラギン酸ラウリルアミド−ヒドロキシプロピルアミド共重合体、アスパラギン酸ラウリルアミド−ヒドロキシブチルアミド共重合体、アスパラギン酸ラウリルアミド−メトキシエチルアミド共重合体、アスパラギン酸ラウリルアミド−メトキシプロピルアミド共重合体、アスパラギン酸ラウリルアミド−ヒドロキシエトキシエチルアミド共重合体、アスパラギン酸ラウリルアミド−ジメチルアミノエチルアミド共重合体、アスパラギン酸ラウリルアミド−ジメチルアミノプロピルアミド共重合体、アスパラギン酸デシルアミド−ヒドロキシエチルアミド共重合体、アスパラギン酸デシルアミド−ヒドロキシプロピルアミド共重合体、アスパラギン酸デシルアミド−メトキシエチルアミド共重合体、アスパラギン酸デシルアミド−ヒドロキシエトキシエチルアミド共重合体、アスパラギン酸デシルアミド−ジメチルアミノプロピルアミド共重合体、アスパラギン酸オクチルアミド−ヒドロキシエチルアミド共重合体、アスパラギン酸オクチルアミド−ヒドロキシプロピルアミド共重合体、アスパラギン酸オクチルアミド−メトキシエチルアミド共重合体、アスパラギン酸オクチルアミド−ヒドロキシエトキシエチルアミド共重合体、アスパラギン酸オクチルアミド−ジメチルアミノプロピルアミド共重合体等が挙げられる。
【００４５】
＜ポリマーの用途＞
本開示に係るポリマーの使用用途は特に限定されない。本開示に係るポリマーを使用する際には、本開示に係るポリマーの、界面活性作用、増粘又は減粘作用、膨潤作用、吸水作用、ゲル化作用、結合作用（例えばキレート作用）、成膜作用（成膜による表面保護作用を含む）、凝集又は接着作用、表面改質作用、徐放作用等を利用してもよい。つまり、本開示に係るポリマーは、界面活性剤、増粘剤、減粘剤、膨潤剤、吸水剤、ゲル化剤、結合剤（例えばキレート剤）、成膜剤（表面保護剤を含む）、凝集剤、接着剤、表面改質剤、徐放剤等として使用することが可能である。
【００４６】
主に界面活性作用を利用した場合の例として、乳化剤、エマルジョンブレーカー、分散剤、凝集剤若しくは帯電防止剤としての利用又はこれらにおける使用が挙げられる。分散剤の例としては、顔料分散剤、農薬粒剤用分散剤、微粉炭用分散剤、セメント分散剤、コンクリート混和剤、潤滑油用清浄分散剤、流動点降下剤、プラスチック着色助剤、相溶化剤等が挙げられる。凝集剤の例としては、高分子凝集剤、ろ水性・歩留り向上剤、汚泥の凝固剤等が挙げられる。主に界面活性作用を利用した場合の例としては、さらに、均染剤、緩染剤、発泡剤、増泡剤、起泡増泡剤、泡安定化剤、シャボン玉液、消泡剤、可溶化剤、切り花の延命剤、滑剤等としての利用又はこれらにおける使用も挙げられる。
【００４７】
主に増粘作用を利用した場合の例として、安定剤、パップ剤、焼き入れ油用高分子、作動液用高分子、原油増産用高分子（例えば、採鉱若しくは坑井掘削において用いる高分子（例えば、一時的シール物質、石油掘削補助用分散液、流動性制御材若しくは坑井処理流体における高分子））若しくは捺染用のり剤等としての利用又はこれらにおける使用が挙げられる。逆に減粘作用を利用した場合の例としては可塑剤等としての利用が挙げられる。
【００４８】
主に膨潤作用を利用した場合の例として、薬剤用担体、（薬剤）揮散剤若しくは薬剤保持体等として利用する又はこれらにおいて使用することが可能である。主に膨潤作用を利用した場合の例として、さらには、通信ケーブル用止水材等の電気機器関連資材、ガスケット・パッキング、土木用のシーリング材、建築用のシーリング材、シールド工法の逸泥防止剤、水膨潤性玩具、シーラント若しくは人工雪等としての利用又はこれらにおける使用が挙げられる。
【００４９】
主に吸水作用を利用した場合の例として、保湿剤、除湿剤、調湿剤、吸湿剤若しくは保水材としての利用又はこれらにおける使用が挙げられる。より具体的には、生理用品、おむつ、母乳パット、失禁用パッド、医療用アンダーパット、使い捨て雑巾、ペット用シート、携帯用トイレ、使い捨てカイロ、創傷保護用ドレッシング材、医療用血液吸収体、吸汗性繊維、ぬれティッシュー、消臭除湿シート、食品鮮度保持剤、食品等の分野における脱水剤、ドリップ吸収性シート等の食品包装材、生鮮野菜運搬用吸水性シート等の運搬用資材、結露防止用建築材料、インクジェット用記録紙、プリント配線板用防湿コーティング剤、コンクリート用防水剤、ガソリンの脱水剤、ガソリンの水分除去剤、油類の脱水剤、若しくは油類の水分除去剤等としての利用又はこれらにおける使用が挙げられる。主に吸水作用を農業分野において利用した場合の例として、保水材、土壌改良剤、フローラルフォーム（切り花の固定化材）、育苗用苗床、水耕栽培植生シート、種子テープ、流体播種用媒体、結露防止用農業用シート若しくは灌注液等としての利用又はこれらにおける使用が挙げられる。
【００５０】
主にゲル化作用を利用した場合の例として、消臭剤、脱臭剤、保冷材若しくは吸油性高分子等としての利用又はこれらにおける使用が挙げられる。
【００５１】
主に結合作用を利用した場合の例として、スケール防止剤、歯石沈着防止剤、重金属類溶出抑制剤、重金属類固定化剤、セレン処理剤、エポキシ樹脂硬化剤、ビルダー、樹脂強化剤、染料固着剤、繊維用防染加工剤、布加工薬剤若しくは洗濯用消臭抗菌仕上げ剤等としての利用又はこれらにおける使用が挙げられる。
【００５２】
主に成膜作用を利用した場合の例として、防錆剤、包装材料（例えば、食品、医薬品若しくは電子材料等の包装材料）、一般工業用フィルム、包装材料用フィルム、コーティング剤、塗料、インキ、インクジェットインク、水性インキ、ボールペン用インキ、金属光沢色インキ、消去可能なインキ、筆記具用レフィル、錠剤コーティング剤、内側空間に薬剤を格納するためのシームレスのカプセル基剤、フロアポリッシュ用高分子、塗料用高分子、マスキング剤、プラスチック・ハードコート剤、フォトレジスト用高分子、電磁波シールド用コーティング剤若しくは消火剤等としての利用又はこれらにおける使用が挙げられる。
【００５３】
主に凝集又は接着作用を利用した場合の例として、培養細胞シート、凝着剤、印刷インキ用バインダー、水溶性バインダー、不織布用バインダー、プラスチック強化繊維用バインダー、電子写真トナー用バインダー、磁気テープ用バインダー、レジンコンクリート用バインダー、鋳物砂用バインダー、ファインセラミック用バインダー、シール材（例えば、電子機器若しくは光ファイバー等のシール材）若しくは接着剤等としての利用又はこれらにおける使用が挙げられる。
【００５４】
主に表面改質作用を利用した場合の例として、繊維処理剤、麺質改良剤若しくはプライマー等としての利用又はこれらにおける使用が挙げられる。
【００５５】
主に徐放作用を利用した場合の例として、徐放剤（例えば、化粧、医薬、農薬若しくは肥料等の成分を徐放する基材等）としての利用又はこれらにおける使用が挙げられる。
【００５６】
その他、上記の作用の１つ以上又はさらなる作用を利用して、化粧品、香粧品、医薬品、医薬部外品、医薬関連材料、医療関連用品、保健関連用品、衛生材料、生活用品、農業資材、食品関連材料、土木関連材料、建築関連材料、電気機器関連材料、電子機器関連材料、筆記関連材料、塗装関連材料、印刷関連材料、電子印刷関連材料、製造プロセス関連材料、分析関連材料、坑井関連材料、染色関連材料、布処理関連材料、製紙関連材料、環境対策処理用材料、バインダー、又はその他の処理剤若しくは機能材料若しくは機能部材等において、本開示に係るポリマーを使用してもよい。化粧品及び香粧品としては、例えば、化粧水、保湿液、乳液、エマルジョン、クリーム、ローション、洗顔オイル、クレンジングオイル、クレンジングクリーム、クレンジングミルク、クレンジングローション、マッサージオイル、モイスチャークリーム、シェービングクリーム、シェービングオイル、シェービングローション、おしろい、口紅、マニキュア、ペディキュア、パック、固形化粧料、固形粉末化粧料、粉体化粧料、油性化粧料、水中油型固型化粧料、油中水型乳化化粧料、水性二層型化粧料、凹凸補正化粧料、油中水型コンシーラー、化粧料用フィラー（ファンデーション）、フォームエアゾール化粧料、日焼け止めローション、日焼け用オイル、ボディーローション、ボディーシャンプー、ヘアシャンプー、ヘアリンス、ヘアートリートメント、ヘアコンディショナー、養毛オイル、ヘアオイル、ヘアムース、香油、ヘアリキッド、セットローション、ヘアスプレー、セット用ジェル剤、ヘアブリーチ、カラーリンス、カラースプレー、毛髪再形成用（パーマネント用）液、ハンドローション、ヘアトニック、デオドラント、消臭剤、消香剤、香水、オーデコロン、オードトワレ、フレグランス等が挙げられる。また、例えば、食品添加物、手術用縫合糸、人工皮膚、スキャホールド、目薬、コンタクトレンズ洗浄剤、芳香剤、脱酸素剤、入浴剤、トナー、感光性組成物、シリカガラス添加剤、イオン交換膜である高分子機能性膜、逆浸透膜である高分子機能性膜、正浸透膜である高分子機能性膜、ガス分離膜である高分子機能性膜、プロトン伝導膜である高分子機能性膜、イオン交換ポリマー、射出成形機洗浄用組成物、紙用サイズ剤、紙力増強剤、つや出しコーティング剤、導電剤、ダイオキシン類の処理薬剤、排ガスの処理薬剤、冷却水処理薬剤、延焼抑制剤水溶液等において本開示に係るポリマーを好ましく用いることができる。
【００５７】
上記の中でも、界面活性剤、安定剤、保湿剤、除湿剤、調湿剤、吸湿剤、保水材、発泡剤、泡安定化剤、消泡剤、可溶化剤、分散剤（例えば、顔料分散剤、農薬粒剤用分散剤、微粉炭用分散剤、セメント分散剤、又は潤滑油用清浄分散剤等）、乳化剤、帯電防止剤、キレート剤、凝着剤、エマルジョンブレーカー、滑剤、薬剤用担体、徐放剤（例えば、化粧、医薬、農薬又は肥料等の成分を徐放する基材）、相溶化剤、高分子凝集剤、可塑剤、乳液、エマルジョン、クリーム、ローション、クレンジングクリーム、シェービングクリーム、パック、おしろい、口紅、マニキュア、ペディキュア、固形化粧料、固形粉末化粧料、粉体化粧料、油性化粧料、水中油型固型化粧料、油中水型乳化化粧料、水性二層型化粧料、凹凸補正化粧料、油中水型コンシーラー、化粧料用フィラー（ファンデーション）、フォームエアゾール化粧料、ヘアコンディショナー、セット用ジェル剤、ヘアトニック、デオドラント、消臭剤、消香剤、香水、オーデコロン、オードトワレ、フレグランス、（薬剤）揮散剤、薬剤保持体、錠剤コーティング剤、内側空間に薬剤を格納するためのシームレスのカプセル基剤、創傷保護用ドレッシング材、医療用アンダーパット、パップ剤、医療用血液吸収体、培養細胞シート、手術用縫合糸、人工皮膚、スキャホールド、目薬、コンタクトレンズ洗浄剤、歯石沈着防止剤、生理用品、おむつ、母乳パット、失禁用パッド、使い捨て雑巾、ペット用シート、携帯用トイレ、芳香剤、消臭剤、吸汗性繊維、ぬれティッシュー、使い捨てカイロ、消臭除湿シート、脱臭剤、脱酸素剤、ビルダー、洗濯用消臭抗菌仕上げ剤、入浴剤、保水材、土壌改良剤、灌注液、切り花の延命剤、フローラルフォーム（切り花の固定化材）、育苗用苗床、水耕栽培植生シート、種子テープ、流体播種用媒体、結露防止用農業用シート、食品鮮度保持剤、脱水剤、ドリップ吸収性シート等の食品包装材、保冷材、生鮮野菜運搬用吸水性シート等の運搬用資材、麺質改良剤、食品添加物、結露防止用建築材料、土木用のシーリング材、建築用のシーリング材、シールド工法の逸泥防止剤、コンクリート混和剤、コンクリート用防水剤、ガスケット・パッキング、フロアポリッシュ用高分子、マスキング剤、塗料用高分子、シール材（例えば、電子機器若しくは光ファイバー等のシール材）、コーティング材（例えば、電子機器若しくは光ファイバー等のコーティング材）、通信ケーブル用止水材、プリント配線板用防湿コーティング剤、塗料、インキ、トナー、インクジェットインク、水性インキ、ボールペン用インキ、金属光沢色インキ、消去可能なインキ、筆記具用レフィル、インクジェット用記録紙、イオン交換膜である高分子機能性膜、逆浸透膜である高分子機能性膜、正浸透膜である高分子機能性膜、ガス分離膜である高分子機能性膜、プロトン伝導膜である高分子機能性膜、イオン交換ポリマー、原油増産用高分子（採鉱若しくは坑井掘削用高分子（例えば、一時的シール物質、石油掘削補助用分散液、流動性制御材若しくは坑井処理流体における高分子））、捺染用糊剤、染料固着剤、繊維用防染加工剤、均染剤、緩染剤、布加工薬剤、紙用サイズ剤、紙力増強剤、重金属類溶出抑制剤、重金属類固定化剤、セレン処理剤、ダイオキシン類の処理薬剤、排ガスの処理薬剤、冷却水処理薬剤、汚泥の凝固剤、ガソリンの脱水剤、ガソリンの水分除去剤、油類の脱水剤、油類の水分除去剤、印刷インキ用バインダー、水溶性バインダー、不織布用バインダー、プラスチック強化繊維用バインダー、電子写真トナー用バインダー、磁気テープ用バインダー、レジンコンクリート用バインダー、鋳物砂用バインダー、ファインセラミック用バインダー、スケール防止剤、防錆剤、繊維処理剤、つや出しコーティング剤、シーラント、接着剤、導電剤、流動点降下剤、プラスチック着色助剤、ろ水性・歩留り向上剤、プラスチック・ハードコート剤、フォトレジスト用高分子、電磁波シールド用コーティング剤、プライマー、焼き入れ油用高分子、作動液用高分子、吸油性高分子、エポキシ樹脂硬化剤、樹脂強化剤、感光性組成物、シリカガラス添加剤、コーティング剤、包装材料（例えば、食品、医薬品若しくは電子材料等の包装材料）、一般工業用フィルム、包装材料用フィルム、射出成形機洗浄用組成物、水膨潤性玩具、シャボン玉、人工雪、消火剤若しくは延焼抑制剤水溶液としての利用、又はこれらにおける使用が好ましい。また、ある実施形態においては、メイクアップ用品、サンケア用品、ボディケア用品、ハンドケア用品、臭い制御用品、香り制御用品、保健関連用品、農業資材、食品関連材料、土木関連材料、建築関連材料、電気機器関連材料、電子機器関連材料、筆記関連材料、塗装関連材料、印刷関連材料、電子印刷関連材料、製造プロセス関連材料、分析関連材料、坑井関連材料、染色関連材料、布処理関連材料、製紙関連材料、環境対策処理用材料、及びバインダーにおける使用が好ましい。
【００５８】
このため、本開示によれば、本開示に係るポリマーを含む界面活性剤、増粘剤、減粘剤、膨潤剤、吸水剤、ゲル化剤、結合剤（例えばキレート剤）、成膜剤（表面保護剤を含む）、凝集剤、接着剤、表面改質剤、又は徐放剤が提供される。また、本開示によれば、本開示に係るポリマーを含む、以下の群（以下、適用例群Ａともいう）から選択される剤又は材料が提供される。
【００５９】
＜適用例群Ａ＞
＜＜汎用剤＞＞
例えば、界面活性剤、増粘剤、安定剤、保湿剤、除湿剤、調湿剤、吸湿剤、保水材、発泡剤、増泡剤、起泡増泡剤、泡安定化剤、消泡剤、可溶化剤、分散剤、乳化剤、帯電防止剤、キレート剤、凝着剤、エマルジョンブレーカー、滑剤、薬剤用担体、徐放剤、相溶化剤、高分子凝集剤、可塑剤。
なお、分散剤としては、例えば、顔料分散剤、農薬粒剤用分散剤、微粉炭用分散剤、セメント分散剤、又は潤滑油用清浄分散剤が挙げられ、徐放剤としては、例えば、化粧、医薬、農薬又は肥料等の成分を徐放する基材が挙げられる。
【００６０】
＜＜化粧品及び香粧品＞＞
例えば、
［スキンケア用品］例えば、化粧水、保湿液、乳液、エマルジョン、クリーム、ローション、洗顔オイル、クレンジングオイル、クレンジングクリーム、クレンジングミルク、クレンジングローション、マッサージオイル、モイスチャークリーム、シェービングクリーム、シェービングオイル、シェービングローション、パック、
［メイクアップ用品］例えば、おしろい、口紅、マニキュア、ペディキュア、固形化粧料、固形粉末化粧料、粉体化粧料、油性化粧料、水中油型固型化粧料、油中水型乳化化粧料、水性二層型化粧料、凹凸補正化粧料、油中水型コンシーラー、化粧料用フィラー（ファンデーション）、フォームエアゾール化粧料、
［サンケア用品］例えば、日焼け止めローション、日焼け用オイル、
［ボディケア用品］例えば、ボディーローション、ボディーシャンプー、
［ヘアケア用品］例えば、ヘアシャンプー、ヘアリンス、ヘアートリートメント、ヘアコンディショナー、養毛オイル、ヘアオイル、ヘアムース、香油、ヘアリキッド、セットローション、ヘアスプレー、セット用ジェル剤、ヘアブリーチ、カラーリンス、カラースプレー、毛髪再形成用（パーマネント用）液、ヘアトニック、
［ハンドケア用品］例えば、ハンドローション、
［臭い制御用品又は香り制御用品］例えば、デオドラント、消臭剤、消香剤、香水、オーデコロン、オードトワレ、フレグランス。
【００６１】
＜＜医薬品及び医薬部外品並びに医薬関連材料＞＞
例えば、（薬剤）揮散剤、薬剤保持体、錠剤コーティング剤、内側空間に薬剤を格納するためのシームレスのカプセル基剤。
【００６２】
＜＜医療関連用品又は保健関連用品＞＞
例えば、創傷保護用ドレッシング材、医療用アンダーパット、パップ剤、医療用血液吸収体、培養細胞シート、手術用縫合糸、人工皮膚、スキャホールド、目薬、コンタクトレンズ洗浄剤、歯石沈着防止剤。
【００６３】
＜＜衛生材料＞＞
例えば、生理用品、おむつ、母乳パット、失禁用パッド、使い捨て雑巾、ペット用シート、携帯用トイレ。
【００６４】
＜＜生活用品＞＞
例えば、芳香剤、消臭剤、吸汗性繊維、ぬれティッシュー、使い捨てカイロ、消臭除湿シート、脱臭剤、脱酸素剤、ビルダー、洗濯用消臭抗菌仕上げ剤、入浴剤。
【００６５】
＜＜農業資材＞＞
例えば、保水材、土壌改良剤、灌注液、切り花の延命剤、フローラルフォーム（切り花の固定化材）、育苗用苗床、水耕栽培植生シート、種子テープ、流体播種用媒体、結露防止用農業用シート。
【００６６】
＜＜食品関連材料＞＞
例えば、食品鮮度保持剤、脱水剤、ドリップ吸収性シート等の食品包装材、保冷材、生鮮野菜運搬用吸水性シート等の運搬用資材、麺質改良剤、食品添加物。
【００６７】
＜＜土木関連材料又は建築関連材料＞＞
例えば、結露防止用建築材料、土木用シーリング材、建築用のシーリング材、シールド工法の逸泥防止剤、コンクリート混和剤、コンクリート用防水剤、ガスケット・パッキング、フロアポリッシュ用高分子、塗料用高分子、マスキング剤。
【００６８】
＜＜電気機器関連材料又は電子機器関連材料＞＞
例えば、シール材（例えば、電子機器若しくは光ファイバー等のシール材）、コーティング材（例えば、電子機器若しくは光ファイバー等のコーティング材）、通信ケーブル用止水材、プリント配線板用防湿コーティング剤。
【００６９】
＜＜筆記関連材料、塗装関連材料、印刷関連材料又は電子印刷関連材料＞＞
例えば、塗料、コーティング剤、インキ、トナー、インクジェットインク、水性インキ、ボールペン用インキ、金属光沢色インキ、消去可能なインキ、筆記具用レフィル、インクジェット用記録紙。
【００７０】
＜＜製造プロセス関連材料又は分析関連材料＞＞
例えば、イオン交換膜である高分子機能性膜、逆浸透膜である高分子機能性膜、正浸透膜である高分子機能性膜、ガス分離膜である高分子機能性膜、プロトン伝導膜である高分子機能性膜、イオン交換ポリマー。
【００７１】
＜＜坑井関連材料＞＞
例えば、原油増産用高分子、より具体的には、例えば、採鉱又は坑井掘削用高分子（例えば、一時的シール物質、石油掘削補助用分散液、流動性制御材若しくは坑井処理流体における高分子）。
【００７２】
＜＜染色関連材料又は布処理関連材料＞＞
例えば、捺染用のり剤、染料固着剤、繊維用防染加工剤、均染剤、緩染剤、布加工薬剤。
【００７３】
＜＜製紙関連材料＞＞
例えば、紙用サイズ剤、紙力増強剤。
【００７４】
＜＜環境対策処理用材料＞＞
例えば、重金属類溶出抑制剤、重金属類固定化剤、セレン処理剤、ダイオキシン類の処理薬剤、排ガスの処理薬剤、冷却水処理薬剤、汚泥の凝固剤、ガソリンの脱水剤、ガソリンの水分除去剤、油類の脱水剤、油類の水分除去剤。
【００７５】
＜＜バインダー＞＞
例えば、印刷インキ用バインダー、水溶性バインダー、不織布用バインダー、プラスチック強化繊維用バインダー、電子写真トナー用バインダー、磁気テープ用バインダー、レジンコンクリート用バインダー、鋳物砂用バインダー、ファインセラミック用バインダー。
【００７６】
＜＜その他処理剤又は機能材料若しくは機能部材＞＞
例えば、スケール防止剤、防錆剤、繊維処理剤、つや出しコーティング剤、シーラント、接着剤、導電剤、流動点降下剤、プラスチック着色助剤、ろ水性・歩留り向上剤、プラスチック・ハードコート剤、フォトレジスト用高分子、電磁波シールド用コーティング剤、プライマー、焼き入れ油用高分子、作動液用高分子、吸油性高分子、エポキシ樹脂硬化剤、樹脂強化剤、感光性組成物、シリカガラス添加剤、包装材料（例えば、食品、医薬品又は電子材料等用の包装材料）、一般工業用フィルム、包装材料用フィルム、射出成形機洗浄用組成物、水膨潤性玩具、シャボン玉、人工雪、消火剤、延焼抑制剤水溶液。
（以上、適用例群Ａ）
【００７７】
これらの剤や材料は、本開示に係るポリマーに加えて、さらに、用途に応じた適切な溶媒や追加成分を含んでいてもよい。また、ある実施形態においては、メイクアップ用品、サンケア用品、ボディケア用品、ハンドケア用品、臭い制御用品、香り制御用品、保健関連用品、農業資材、食品関連材料、土木関連材料、建築関連材料、電気機器関連材料、電子機器関連材料、筆記関連材料、塗装関連材料、印刷関連材料、電子印刷関連材料、製造プロセス関連材料、分析関連材料、坑井関連材料、染色関連材料、布処理関連材料、製紙関連材料、環境対策処理用材料、及びバインダーが好ましい。
【００７８】
＜調製例＞
［調製例１］
本調製例において、原料のポリこはく酸イミド（以下ＰＳＩと略記する）としては、重量平均分子量（以下Ｍｗと略記する）が９５０００のものを用いた。このＭｗは、ゲル・パーミエーション・クロマトグラフィーで、Ｎ,Ｎ−ジメチルホルムアミド（以下ＤＭＦと略記する）溶液中、４５℃で測定し、ポリスチレン標準で求めた値である。また、反応容器としては、攪拌機、ヒーター、温度計及び窒素ラインを備えたセパラブル・フラスコを使用し、反応中は反応系を充分に攪拌しながら実施した。
【００７９】
まず反応容器内にＰＳＩ９．４０ｇとＤＭＦ３４.００ｇを入れ、７０℃加熱下で完全に溶解させた。次いで、ｎ−ドデシルアミン（以下ＬＡと略記する）８．６５ｇ（こはく酸イミド単位に対して５５モル％）と、ヒドロキシプロピルアミン（以下ＡＰと略記する）３．３８ｇ（こはく酸イミド単位に対して４５モル％）を添加し、反応容器内の温度を７０℃に保ちながら６時間反応させ、次いで反応容器を冷却し、室温になったところで一晩静置させた。その後、反応液をアセトニトリル３００ｍＬ中に攪拌しながら排出することにより反応物を沈澱させ、濾過により回収し、ポリアスパラギン酸誘導体を得た。
【００８０】
このポリアスパラギン酸誘導体の１０％水溶液を調製しレオメーターによる粘度測定を温度３０℃、応力１Ｐａで行った結果、６．８ｋＰａ・ｓの粘度を得た。
【００８１】
［調製例２］
調製例１で合成したポリマーの１％水溶液を調製し粘度測定を行った結果、１．９ｋＰａ・ｓの粘度を得た。
【００８２】
［調製例３］
ＬＡの使用量を７．８７ｇ（こはく酸イミド単位に対して５０モル％）、イソプロパノールアミン（以下ｉＡＰと略記する）の使用量を３．７６ｇ（こはく酸イミド単位に対して５０モル％）に変更したこと以外は、調製例１と同様にしてポリアスパラギン酸誘導体を合成した。このポリアスパラギン酸誘導体の１％水溶液を調製し、レオメーターによる粘度測定を温度５℃、応力１Ｐａで行った結果、２８０Ｐａ・ｓの粘度を得た。
【００８３】
［調製例４〜８］
疎水性アミンをＸとし親水性アミンをＹとして、ＸとＹの比、測定温度、ポリマー濃度を変える以外は調製例１と同様に合成し、粘度測定を行った。まとめて表１に示した。
【００８４】
［調製例９］
調製例６で合成したポリマーを０．１％ＮａＣｌ水溶液で溶解し、１０％濃度溶液を調製した。粘度測定を温度３０℃、応力１Ｐａで行った結果、１１０Ｐａ・ｓの粘度を得た。
【００８５】
［調製例１０］
調製例６で合成したポリマーを０．５％ＮａＣｌ水溶液で溶解し、１０％濃度溶液を調製した。粘度測定を温度３０℃、応力１Ｐａで行った結果、１３１Ｐａ・ｓの粘度を得た。
【００８６】
［調製例１１］
調製例６で合成したポリマーを１．０％ＮａＣｌ水溶液で溶解し、１０％濃度溶液を調製した。粘度測定を温度３０℃、応力１Ｐａで行った結果、１８９Ｐａ・ｓの粘度を得た。
【００８７】
［調製例１２］
調製例１で合成したポリマーの５％水溶液を調製し、２００ｍｌメスシリンダー中に２０ｍｌ装入し、振とう幅１５ｃｍで３０回振とうした。１分後泡の体積を測定した結果、９０ｍｌだった。その後経時変化を見た結果、５分後に９０ｍｌ（増泡率４．５倍）、３０分後に９０ｍｌ（増泡率４．５倍）、１０時間後に７５ｍｌ（増泡率４．０倍）だった。
【００８８】
［調製例１３］
調製例１で合成したポリマーを０．１％ＮａＣｌ水溶液で溶解し、５％濃度溶液を調製した。２００ｍｌメスシリンダー中に２０ｍｌ装入し、振とう幅１５ｃｍで３０回振とうした。１分後泡の体積を測定した結果、９０ｍｌだった。その後経時変化を見た結果、５分後に９０ｍｌ（増泡率４．５倍）、３０分後に９０ｍｌ（増泡率４．５倍）、１０時間後に７５ｍｌ（増泡率４．０倍）だった。
【００８９】
［調製例１４〜１５］
希釈したＮａＣｌ水溶液の濃度を変えた以外は調製例１３と同様に操作した。結果は表２にまとめて示した。
【００９０】
［調製例１６〜２４］
ＸとＹの種類と比、測定温度、ポリマー濃度を変える以外は調製例１２と同様に操作した。結果はまとめて表２に示した。
【００９１】
下記表１及び表２に、以上の各調製例の結果をまとめて示す。
【００９２】
【表１】
2019089897.tif 000012
【００９３】
【表２】
2019089897.tif 000013
【００９４】
調製例１〜２４で得られたポリマー又はこれらを本開示のポリマーの範囲内で適宜改変したポリマーを、上述の適用例群Ａに記載の用途に用いる。それぞれの用途において、これらのポリマーは良好な特性を示す。